(57)【要約】  基地局は、スロットの構成を示す情報を含む第１の制御信号と、スロットの構成を示す情報を含まない第２の制御信号とを、グループに属する端末によってモニタされるリソースセットに割り当てる割当回路と、第１の制御信号と第２の制御信号とを端末に送信する送信機と、を備え、第１の制御信号が割り当てられるシンボル数を、第２の制御信号が割り当てられる最も小さいシンボル数に合わせる。
2018173442.tif 000002
【特許請求の範囲】
【請求項１】
スロットの構成を示す情報を含む第１の制御信号と前記情報を含まない第２の制御信号とを、グループに属する端末によってモニタされるリソースセットに割り当てる割当回路と、
前記第１の制御信号と前記第２の制御信号とを端末に送信する送信機と、
を備え、
前記第１の制御信号が割り当てられるシンボル数を、前記第２の制御信号が割り当てられる最も小さいシンボル数に合わせる、
基地局。
【請求項２】
前記リソースセットが配置されないスロットにおいては、前記第１の制御信号が割り当てられるシンボル数を１にする、
請求項１に記載の基地局。
【請求項３】
前記第１の制御信号が割り当てられるシンボル数をアグリゲーションレベルに応じて可変する、
請求項１に記載の基地局。
【請求項４】
前記第１の制御信号をコントロールチャネルエレメントのロジカルマップの先頭から割り当てる、
請求項１に記載の基地局。
【請求項５】
前記第１の制御信号をスロットの先頭シンボルから配置する、
請求項１に記載の基地局。
【請求項６】
スロットの構成を示す情報を含む第１の制御信号と前記情報を含まない第２の制御信号とを、グループに属する端末によってモニタされるリソースセットに割り当て、
前記第１の制御信号と前記第２の制御信号とを端末に送信する通信方法において、
前記第１の制御信号が割り当てられるシンボル数を、前記第２の制御信号が割り当てられる最も小さいシンボル数に合わせる、
通信方法。
【発明の詳細な説明】
【技術分野】
【０００１】
本開示は、基地局および通信方法に関する。
【背景技術】
【０００２】
第５世代移動通信システム（5G）と呼ばれる通信システムが検討されている。5Gでは、通信トラフィックの増大、接続する端末数の増大、高信頼性、低遅延のそれぞれが必要とされるユースケース毎に機能を柔軟に提供することが検討されている。代表的なユースケースとして、拡張モバイルブロードバンド（eMBB：enhanced Mobile Broadband）、大規模コミュニケーション／多数接続（mMTC：massive Machine Type Communications）、超信頼性・低遅延 コミュニケーション（URLLC：Ultra Reliable and Low Latency Communicant)の３つがある。国際標準化団体である3GPP（3rd Generation Partnership Project）では、LTEシステムの高度化と、New RAT（Radio Access Technology）（例えば、非特許文献１を参照）の両面から、通信システムの高度化を検討している。
【先行技術文献】
【非特許文献】
【０００３】
【非特許文献１】RP-161596, "Revision of SI: Study on New Radio Access Technology", NTT DOCOMO, September 2016
【発明の概要】
【０００４】
New RATでは、スロットの構成を端末に通知するための制御信号として、group common PDCCH（PDCCH: Physical Downlink control Channel）が検討されており、この制御信号の具体的な無線リソースへの配置について検討する必要がある。
【０００５】
本開示の一態様は、スロットの構成を端末に通知する共通制御信号を適切に無線リソースに配置する基地局および通信方法の提供に資する。
【０００６】
本開示の一態様に係る基地局は、スロットの構成を示す情報を含む第１の制御信号と前記情報を含まない第２の制御信号とを、グループに属する端末によってモニタされるリソースセットに割り当てる割当回路と、前記第１の制御信号と前記第２の制御信号とを端末に送信する送信機と、を備え、前記第１の制御信号が割り当てられるシンボル数を、前記第２の制御信号が割り当てられる最も小さいシンボル数に合わせる。
【０００７】
本開示の一態様に係る通信方法は、スロットの構成を示す情報を含む第１の制御信号と前記情報を含まない第２の制御信号とを、グループに属する端末によってモニタされるリソースセットに割り当て、前記第１の制御信号と前記第２の制御信号とを端末に送信する通信方法において、前記第１の制御信号が割り当てられるシンボル数を、前記第２の制御信号が割り当てられる最も小さいシンボル数に合わせる。
【０００８】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【０００９】
本開示の一態様によれば、スロットの構成を端末に通知する共通制御信号を適切に無線リソースに配置することができる。【００１０】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１１】
【図１】図１は、第１の実施の形態に係るgroup common PDCCHを説明する。
【図２Ａ】図２Ａは、group common PDCCHの配置を説明する。
【図２Ｂ】図２Ｂは、group common PDCCHの配置を説明する。
【図３】図３は、第１の実施の形態に係る基地局の一部の構成を示す。
【図４】図４は、第１の実施の形態に係る基地局の構成を示す。
【図５】図５は、第１の実施の形態に係る端末の構成を示す。
【図６】図６は、基地局のＰＤＣＣＨのデザイン動作例を示す。
【図７Ａ】図７Ａは、ＰＤＣＣＨとＣＣＥとの関係を説明する。
【図７Ｂ】図７Ｂは、ＰＤＣＣＨとＣＣＥとの関係を説明する。
【図７Ｃ】図７Ｃは、ＰＤＣＣＨとＣＣＥとの関係を説明する。
【図８Ａ】図８Ａは、アグリゲーションレベルが「２」のときのＰＤＣＣＨの構成例を説明する。
【図８Ｂ】図８Ｂは、アグリゲーションレベルが「２」のときのＰＤＣＣＨの構成例を説明する。
【図８Ｃ】図８Ｃは、アグリゲーションレベルが「２」のときのＰＤＣＣＨの構成例を説明する。
【図９】図９は、ケース１）を説明する。
【図１０】図１０は、ケース２）を説明する。
【図１１】図１１は、ケース３）を説明する。
【図１２】図１２は、第２の実施の形態に係るgroup common PDCCHのデザイン例を説明する。
【図１３】図１３は、第３の実施の形態に係るgroup common PDCCHに割り当てられるシンボル数の例を説明する。
【図１４】図１４は、第４の実施の形態に係るＣＣＥのロジカルマッピングの例を示す。
【図１５Ａ】図１５Ａは、無線リソースを説明する。
【図１５Ｂ】図１５Ｂは、無線リソースを説明する。
【図１５Ｃ】図１５Ｃは、無線リソースを説明する。
【発明を実施するための形態】
【００１２】
以下、本開示の実施の形態を、図面を参照して説明する。
【００１３】
［第１の実施の形態］
図１は、第１の実施の形態に係るgroup common PDCCHを説明する図である。図１には、group common control resource setと、group common PDCCHと、が示してある。なお、group common control resource setは、ＣＯＲＳＥＴ（Control resource set）と呼ばれることもある。
【００１４】
ＮＲ（New Radio）では、スロットの構成を端末（UE：User Equipment）に通知するための制御信号として、group common PDCCHが検討されている。例えば、group common PDCCHは、ＤＬ（DownLink）のシンボル数およびＵＬ（UpLink）のシンボル数および他の用途に使用されるシンボル数等を端末に通知するのに用いられる。
【００１５】
group common PDCCHは、グループに属する端末で用いられる。例えば、あるgroup common PDCCHは、あるグループに属する端末で用いられ、別のgroup common PDCCHは、別のグループに属する端末で用いられる。group common PDCCHは、図１に示すように、group common control resource setと呼ばれる領域に配置されることが検討されている。
【００１６】
group common control resource setには、group common PDCCH以外に、他のＰＤＣＣＨも配置されることが検討されている。例えば、group common control resource setには、ＲＡＣＨ（Random Access Channel）レスポンス、電力制御、ページングの通知、およびＳＩＢ（System Information Block）等の割り当てに使用される制御信号が配置される。これらの制御信号は、ＬＴＥでは、コモンサーチスペースに配置される信号である。以下では、group common control resource setに配置されるgroup common PDCCH以外のＰＤＣＣＨ（スロットの構成を示す情報を含まないＰＤＣＣＨ）をother PDCCHと呼ぶことがある。
【００１７】
group common control resource setの周波数領域と時間領域は、上位レイヤのシグナリングで端末に通知されることが検討されている。端末は、group common control resource set内にサーチスペースを設定する。
【００１８】
上記したように、group common PDCCHは、グループ内の複数の端末向けに送信されることを想定している。従って、group common PDCCHは、グループ内で最も回線品質の悪い端末も受信できるように送信される必要がある。
【００１９】
図２Ａおよび図２Ｂは、group common PDCCHの配置を説明する図である。回線品質を向上させる方法として、複数のシンボルにgroup common PDCCHを配置することが考えらえる。シンボルごとに使用できる送信パワーに制限がある場合、group common PDCCHを複数シンボルに配置することで、group common PDCCHの送信電力を向上させることができる。
【００２０】
例えば、図２Ａでは、group common PDCCHは、１シンボルに割り当てられているが、図２Ｂでは、３シンボルに割り当てられている。このため、図２Ｂでは、group common PDCCHの合計パワーを上げることができ、送信電力を向上させることができる。
【００２１】
しかし、複数シンボルにgroup common PDCCHを配置すると、ＤＬデータを伝送するＰＤＳＣＨ（Physical Downlink Shared Channel）、ＵＬデータを伝送するＰＵＳＣＨ（Physical Uplink Shared Channel）（図２Ａおよび図２Ｂには図示せず）、または、サイドリンク（図２Ａおよび図２Ｂには図示せず）等に使用されるシンボル数が制限される。
【００２２】
例えば、図２Ａの例では、ＤＬデータは、２シンボル目から配置されているが、図２Ｂの例では、ＤＬデータは、４シンボル目から配置されている。このため、図２Ｂの例は、図２Ａの例に対し、ＤＬデータ等に使用されるシンボル数が制限されている。
【００２３】
そこで、本実施の形態に係る基地局は、group common control resource setに配置されるother PDCCHのデザイン（PDCCHなどの信号をシンボルなどのリソース領域に割り当てる（配置する）構成（configuration））に応じて、group common PDCCHをデザインする。例えば、基地局は、other PDCCHのカバレッジを広くするため、other PDCCHが割り当てられるシンボル数を増加させたとする。この場合、基地局は、other PDCCHのデザインに合わせて、group common PDCCHが割り当てられるシンボル数も増加させる。これによって、基地局は、group common PDCCHを適切に無線リソースに配置することができる。
【００２４】
図３は、第１の実施の形態に係る基地局１００の一部の構成を示すブロック図である。図３に示す基地局１００において、信号割当部１３は、スロットの構成を示す情報を含むgroup common PDCCHと、スロットの構成を示す情報を含まないother PDCCHとを、グループに属する端末によってモニタされるgroup common control resource setに割り当てる。送信部１４は、group common control resource setに割り当てられたgroup common PDCCHとother PDCCHとを端末に送信する。基地局１００は、group common PDCCHおよびother PDCCHを、group common control resource setに割り当てる際、group common PDCCHが割り当てられるシンボル数を、other PDCCHが割り当てられる最も小さいシンボル数に合わせるように、group common PDCCHをデザインする。
【００２５】
図４は、第１の実施の形態に係る基地局１００の構成を示すブロック図である。図４に示すように、基地局１００は、誤り訂正符号化部１１と、変調部１２と、信号割当部１３と、送信部１４と、受信部１５と、信号分離部１６と、復調部１７と、誤り訂正復号部１８と、ＰＤＣＣＨデザイン決定部１９と、group common PDCCH生成部２０と、ＤＣＩ（DownLink Control Information）生成部２１と、を有している。
【００２６】
誤り訂正符号化部１１には、送信データ信号（ＤＬデータ信号）およびＰＤＣＣＨデザイン決定部１９から出力される上位レイヤのシグナリング（デザイン情報）が入力される。誤り訂正符号化部１１は、入力された送信データ信号およびデザイン情報に対し、誤り訂正符号化処理を施し、変調部１２へ出力する。
【００２７】
変調部１２は、誤り訂正符号化部１１から出力される信号に対して変調処理を施し、変調後の信号を信号割当部１３へ出力する。
【００２８】
信号割当部１３は、変調部１２から出力されるＤＬデータ信号、ＤＣＩ生成部２１から出力される制御信号であるＤＣＩ、およびgroup common PDCCH生成部２０から出力されるgroup common PDCCHの制御情報を無線リソースに割り当てる。ＤＣＩは、group common control resource setまたはUE specific control resource setに定められている無線リソースに割り当てられる。ＰＤＣＣＨデザイン決定部１９から出力されるデザイン情報にもとづき、group common PDCCHが割り当てられるシンボル数が決定され、group common PDCCHは、group common control resource set内の無線リソースに割り当てられる。形成された信号は、送信部１４へ出力される。
【００２９】
送信部１４は、信号割当部１３から出力される信号に対してアップコンバート等の無線送信処理を施し、アンテナを介して端末へ送信する。
【００３０】
受信部１５は、端末から送信された信号を、アンテナを介して受信し、信号分離部１６へ出力する。
【００３１】
信号分離部１６は、ＤＣＩ生成部２１から出力されるＵＬ割り当て情報に基づき、受信信号を分離する。ＵＬデータ信号は、復調部１７へ出力される。
【００３２】
復調部１７は、信号分離部１６から出力される信号に対して復調処理を施し、復調処理した信号を誤り訂正復号部１８へ出力する。
【００３３】
誤り訂正復号部１８は、復調部１７から出力される信号を復号し、端末からの受信データ信号を得る。
【００３４】
ＰＤＣＣＨデザイン決定部１９は、ＰＤＣＣＨのデザインを決定する。例えば、ＰＤＣＣＨデザイン決定部１９は、ＣＣＥ（Control Channel Element）をどのＲＥＧ（Resource Element Group）にマッピングするかを定めるデザイン、アグリゲーションレベルが２以上の場合、ＰＤＣＣＨをどのＣＣＥで構成するかを定めるデザイン、およびgroup common control resource setの周波数領域と時間領域とを決定する。ＰＤＣＣＨデザイン決定部１９は、決定したデザインを示すデザイン情報を、上位レイヤのシグナリングとして、誤り訂正符号化部１１へ出力する。また、ＰＤＣＣＨデザイン決定部１９は、決定したデザインを、信号割当部１３へ出力する。
【００３５】
group common PDCCH生成部２０は、group common PDCCHで送信される制御情報を生成する。例えば、group common PDCCH生成部２０は、ＤＣＩ生成部２１から出力される情報、ＤＬデータ量、およびＵＬデータ量の情報より、スロット、ミニスロット、またはサブフレームの構成（例えば、ＤＬのシンボル数、ＵＬのシンボル数、およびその他のシンボル数）を示す情報を生成し、信号割当部１３へ出力する。
【００３６】
ＤＣＩ生成部２１は、ＤＬデータまたはＵＬデータの無線リソース割り当て情報（ＤＬ割り当て情報またはＵＬ割り当て情報）を生成する。ＤＣＩ生成部２１は、ＤＬ割り当て情報を信号割当部１３に出力し、ＵＬ割り当て情報を信号分離部１６に出力する。また、ＤＣＩ生成部２１は、スロット、ミニスロット、またはサブフレーム単位で送信するＤＣＩの数、各ＤＣＩのアグリゲーションレベル、サーチスペースの設定などから、必要となるシンボル数を算出し、group common PDCCH生成部２０へ出力する。
【００３７】
図５は、第１の実施の形態に係る端末２００の構成を示すブロック図である。図５に示すように、端末２００は、誤り訂正符号化部３１と、変調部３２と、信号割当部３３と、送信部３４と、受信部３５と、信号分離部３６と、復調部３７と、誤り訂正復号部３８と、ＰＤＣＣＨデザイン受信部３９と、ＤＣＩ受信部４０と、group common PDCCH受信部４１と、を有している。
【００３８】
誤り訂正符号化部３１には、送信データ信号（ＵＬデータ信号）が入力される。誤り訂正符号化部３１は、入力された送信データ信号に対して誤り訂正符号化処理を施し、変調部３２へ出力する。
【００３９】
変調部３２は、誤り訂正符号化部３１から出力される信号に対して変調処理を施し、変調後の信号を信号割当部３３へ出力する。
【００４０】
信号割当部３３は、変調部３２から出力される送信信号を、ＤＣＩ受信部４０から出力されるＵＬ割り当て情報に基づき、無線リソースに割当て、送信部３４へ出力する。
【００４１】
送信部３４は、信号割当部３３から出力される信号に対してアップコンバート等の送信処理を施し、基地局１００へ送信する。
【００４２】
受信部３５は、基地局１００から送信された信号を、アンテナを介して受信し、ダウンコンバート等の受信処理を施し、信号分離部３６へ出力する。
【００４３】
信号分離部３６は、ＰＤＣＣＨデザイン受信部３９から出力されるデザイン情報に基づき、group common PDCCHが割り当てられるシンボル数を特定し、group common PDCCHを分離する。信号分離部３６は、分離したgroup common PDCCHを、group common PDCCH受信部４１へ出力する。また、信号分離部３６は、ＰＤＣＣＨデザイン受信部３９から出力されるデザイン情報に基づき、ＤＣＩを分離する。信号分離部３６は、分離したＤＣＩをＤＣＩ受信部４０へ出力する。また、信号分離部３６は、ＤＣＩ受信部４０から出力されるＤＬの割り当て情報に基づき、ＤＬデータまたは上位レイヤのシグナリングを分離して、復調部３７へ出力する。
【００４４】
復調部３７は、信号分離部３６から出力される信号に対して復調処理を施し、誤り訂正復号部３８へ出力する。
【００４５】
誤り訂正復号部３８は、復調部３７から出力される復調信号を復号し、得られた受信データ信号を出力し、得られた上位レイヤのシグナリングをＰＤＣＣＨデザイン受信部３９へ出力する。
【００４６】
ＰＤＣＣＨデザイン受信部３９は、誤り訂正復号部３８によって復号された上位レイヤのシグナリングに含まれるデザイン情報を受信し、信号分離部３６へ出力する。
【００４７】
ＤＣＩ受信部４０は、信号分離部３６から出力されるＤＣＩに対して、復号を試みて、ＤＣＩを検出（受信）する。ＤＣＩ受信部４０は、受信したＤＣＩに示されるＤＬリソース割り当て情報を信号分離部３６へ出力する。また、ＤＣＩ受信部４０は、受信したＤＣＩに示されるＵＬリソース割り当て情報を信号割当部３３へ出力する。
【００４８】
group common PDCCH受信部４１は、信号分離部３６から出力されるgroup common PDCCHを受信する。
【００４９】
図６は、基地局１００のＰＤＣＣＨのデザイン動作例を示すフローチャートである。ＰＤＣＣＨデザイン決定部１９は、group common control resource setに割り当てられるother PDCCHをデザインする（ステップＳ１）。例えば、ＰＤＣＣＨデザイン決定部１９は、group common control resource setに割り当てられるother PDCCHのシンボル数を決定する。
【００５０】
次に、ＰＤＣＣＨデザイン決定部１９は、group common PDCCHが割り当てられるシンボル数が、other PDCCHが割り当てられる最も短いシンボル数と同じになるようにデザインする（ステップＳ２）。
【００５１】
次に、信号割当部１３は、ステップＳ１，Ｓ２のデザインに従って、other PDCCHおよびgroup common PDCCHをgroup common control resource setに割り当てる（ステップＳ３）。
【００５２】
以下、ＰＤＣＣＨのgroup common control resource setへの配置について説明する。other PDCCHおよびgroup common PDCCHを区別する必要がないときは、単にＰＤＣＣＨと記載することがある。
【００５３】
図７Ａ、図７Ｂ、および図７Ｃは、ＰＤＣＣＨとＣＣＥとの関係を説明する図である。図７Ａには、ＲＥＧと、ＣＣＥと、が示してある。
【００５４】
ＰＤＣＣＨは、１以上のＣＣＥによって構成される。１ＣＣＥは、複数のＲＥＧで構成される。ＲＥＧは、１ＰＲＢ（Physical Resource Block）の１シンボルから構成される。
【００５５】
１ＣＣＥのデザインは、大きく２つに分けられる。１つは、１ＣＣＥが同一シンボルで構成されるデザインと、もう１つは、１ＣＣＥが複数のシンボルで構成されるデザインである。
【００５６】
例えば、図７Ａに示すように、１ＣＣＥは、同一シンボルで構成されることができる。また、図７Ｂおよび図７Ｃに示すように、１ＣＣＥは、複数のシンボルで構成されることができる。なお、図７Ａ、図７Ｂ、および図７Ｃにおいて、１ＣＣＥは、例えば、同じハッチングが付されているＲＥＧで構成される。
【００５７】
１ＣＣＥが複数のシンボルで構成される場合、図７Ｂおよび図７Ｃに示すように、２つのデザインに分けられる。例えば、異なるＰＲＢで構成される場合と、同じＰＲＢで構成される場合である。
【００５８】
例えば、図７Ｂに示すように、１ＣＣＥは、異なるＰＲＢにおける異なる複数のシンボルで構成されることができる。また、図７Ｃに示すように、１ＣＣＥは、同じＰＲＢにおける異なる複数のシンボルで構成されることができる。
【００５９】
図７Ａに示すように、１ＣＣＥを同一シンボルに配置するデザインは、ＰＤＣＣＨの後に配置される、例えば、ＰＤＳＣＨ等の無線リソース数を増加させることができる。これに対し、図７Ｂおよび図７Ｃに示すように、１ＣＣＥを複数のシンボルに配置するデザインは、例えば、シンボルごとに使用できる送信パワーに制限がある場合、送信電力の向上を図ることができる。
【００６０】
図７Ａ、図７Ｂ、および図７Ｃのどのタイプのデザインを使用するかは、基地局１００の判断に委ねられる。ＣＣＥのデザインは、基地局１００から端末２００に、例えば、上位レイヤのシグナリング（ＳＩＢまたはdedicated RRC）で通知される。
【００６１】
１ＣＣＥのデザインが、図７Ｂおよび図７Ｃに示すように、複数のシンボルに渡る場合、ＰＤＣＣＨは、アグリゲーションレベルに関係なく、複数のシンボル（３シンボル）に配置される。
【００６２】
一方、１ＣＣＥが同一シンボルで構成される場合、アグリゲーションレベルが２以上になると、ＰＤＣＣＨは、同一シンボル（１シンボル）で構成される場合と、複数シンボル（２または３シンボル）で構成される場合とが生じる。
【００６３】
図８Ａ、図８Ｂ、および図８Ｃは、アグリゲーションレベルが「２」のときのＰＤＣＣＨの構成例を説明する図である。
【００６４】
１ＣＣＥが同一シンボルで構成される場合、アグリゲーションレベル「２」のＰＤＣＣＨのＣＣＥは、図８Ａに示すように、同一シンボルで構成される場合がある。この場合、ＰＤＣＣＨは、図８Ａに示すように１シンボルに配置される。
【００６５】
また、１ＣＣＥが同一シンボルで構成される場合、アグリゲーションレベル「２」のＰＤＣＣＨのＣＣＥは、図８Ｂおよび図８Ｃに示すように、異なるシンボルで構成される場合がある。つまり、アグリゲーションレベル「２」以上のＰＤＣＣＨのＣＣＥは、２以上のシンボルで構成される場合がある。
【００６６】
アグリゲーションレベル「２」のＰＤＣＣＨのＣＣＥが、異なるシンボルで構成される場合、ＣＣＥの構成は、大きく２つに分けられる。例えば、図８Ｂに示すように、ＰＤＣＣＨのＣＣＥは、同じＰＲＢで構成される場合と、図８Ｃに示すように、異なるＰＲＢで構成される場合とに分けられる。
【００６７】
すなわち、基地局１００は、アグリゲーションレベルが「２」以上の場合、次の３つの基準によって、ＰＤＣＣＨをgroup common control resource setに配置することができる。
【００６８】
（１）ＰＤＣＣＨを構成するＣＣＥを、例えば、図８Ａに示すように、同一シンボルに配置する（Frequency first mapping）。
【００６９】
（２）ＰＤＣＣＨを構成するＣＣＥを、例えば、図８Ｂに示すように、同じＰＲＢにおける異なる複数のシンボルに配置する（Time first mapping）。
【００７０】
（３）ＰＤＣＣＨを構成するＣＣＥを、例えば、図８Ｃに示すように、異なるＰＲＢにおける異なる複数のシンボルに配置する。
【００７１】
上記（１）の基準によって、ＰＤＣＣＨをgroup common control resource setに配置した場合、基地局１００は、ＰＤＣＣＨの占有するシンボル数を抑制することができる。
【００７２】
上記（２）の基準によって、ＰＤＣＣＨをgroup common control resource setに配置した場合、基地局１００は、例えば、ＤＭＲＳ（Demodulation Reference Signal）の量を低減できる。また、基地局１００は、シンボルごとに使用できる送信パワーに制限がある場合、送信電力の向上を図ることができる。
【００７３】
上記（３）の基準によって、ＰＤＣＣＨをgroup common control resource setに配置した場合、端末２００は、周波数方向および時間方向の両方において、ダイバーシチゲインを得ることができる。
【００７４】
基地局１００（ＰＤＣＣＨデザイン決定部１９）は、group common PDCCHが割り当てられるシンボル数を、端末２００によってモニタ（サーチ）されるother PDCCHが割り当てられるシンボル数に基づいてデザインする。例えば、基地局１００は、group common PDCCHが割り当てられるシンボル数を、other PDCCHが割り当てられる最も短いシンボル数に合わせるよう、group common PDCCHを配置（デザイン）する。その際、基地局１００は、group common PDCCHを、group common control resource setの先頭のシンボルから配置する。
【００７５】
従って、基地局１００は、other PDCCHを同一シンボルに配置するようにデザインする場合（図７Ａおよび図８Ａ参照）、group common PDCCHを１シンボルに配置（デザイン）することが可能となる。これにより、基地局１００は、送信データのシンボル数を増やすことが可能となる。
【００７６】
また、基地局１００は、other PDCCHを異なる複数のシンボルに配置するようにデザインする場合（図７Ｂ、図７Ｃ、図８Ｂ、および図８Ｃを参照）、group common PDCCHを、異なる複数のシンボルに配置することになる。これにより、基地局１００は、group common PDCCHの送信電力の向上を図ることができる。
【００７７】
なお、端末２００がgroup common control resource setでモニタするＰＤＣＣＨは、アグリゲーションレベル「１」からではなく、例えば、アグリゲーションレベル「４」以上とされることも考えられる。これは、group common control resource setで送信するＰＤＣＣＨは、複数の端末２００によって同時に受信されるものや、端末２００の設定に関する情報を指示する情報を有するものがあり、UE specific control resource setで送付される再送処理が可能なデータ信号を指示する制御信号よりも、高い品質が求められるからである。
【００７８】
また、group common PDCCHおよびgroup common control resource setは、スロットの先頭部分に配置されることが考えられる。これらを先頭に配置すると、データ部分よりも先にgroup common PDCCHの受信を開始できるという利点がある。
【００７９】
また、group common PDCCHおよびgroup common control resource setは、スロット単位ではなく、サブフレーム単位、またはミニスロット単位で送信されることも考えられる。サブフレームは、１ｍｓｅｃの時間間隔を示し、スロットは、サブフレーム内に１以上配置される。ミニスロットは、スロットより短い単位である。
【００８０】
また、group common control resource setに配置されるＰＤＣＣＨのデザインおよび２以上のアグリゲーションレベルが占有するシンボル数は、上位レイヤのシグナリング（ＳＩＢまたはdedicated RRC）にて通知される。また、最小のアグリゲーションレベルは、システムで固定であるとする。
【００８１】
以下、アグリゲーションレベルが「２」の場合の次のケースについて説明する。
【００８２】
ケース１）other PDCCHを、図８Ａに示したように、同一シンボルに配置するケース
【００８３】
ケース２）other PDCCHを、図８Ｂ（または図８Ｃ）に示したように、異なる複数のシンボルに配置するケース
【００８４】
ケース３）other PDCCHのＣＣＥを、図７Ｂに示したように、異なる複数のシンボルで構成するケース
【００８５】
図９は、ケース１）を説明する図である。図９には、group common control resource setと、other PDCCHと、group common PDCCHと、が示してある。other PDCCHおよびgroup common PDCCHは、group common control resource setに配置される。
【００８６】
ケース１）の場合、基地局１００は、アグリゲーションレベル「２」のother PDCCHを、図９に示すように、同一シンボル（１シンボル）に配置する。そして、基地局１００は、group common control resource setにおいて、other PDCCHが割り当てられる最小シンボル数に合わせ、図９に示すように、group common PDCCHを１シンボルに配置する。
【００８７】
基地局１００は、ケース１）の場合、other PDCCHが割り当てられるシンボル数と、group common PDCCHが割り当てられるシンボル数とを、「１」となるようにデザインできる。この場合、基地局１００は、送信データをシンボル「＃１」から割り当てることができる。
【００８８】
図１０は、ケース２）を説明する図である。ケース２）の場合、基地局１００は、アグリゲーションレベル「２」のother PDCCHの２ＣＣＥを、図１０に示すように、異なる複数のシンボル（２シンボル）に配置する。そして、基地局１００は、group common control resource setにおいて、other PDCCHが割り当てられる最小シンボル数に合わせ、図１０に示すように、group common PDCCHを２シンボルに配置する。
【００８９】
基地局１００は、ケース２）の場合、other PDCCHと、group common PDCCHとの両方が占有するシンボルを、シンボル「＃０，＃１」に限定できる。この場合、基地局１００は、送信データをシンボル「＃２」から割り当てることができる。
【００９０】
図１１は、ケース３）を説明する図である。ケース３）の場合、基地局１００は、other PDCCHを構成するＣＣＥを、図１１に示すように、異なる複数のシンボル（３シンボル）に配置する。ケース３）の場合では、other PDCCHは、group common control resource setに割り当てられるシンボルのすべてに渡って配置される。従って、group common PDCCHも、group common control resource setのシンボル全てを占有するように、デザインされる。
【００９１】
なお、ケース３）の場合、どのアグリゲーションレベルであっても、other PDCCHは、３シンボル全てに渡って配置されるので、group common PDCCHも３シンボルに渡って配置される。
【００９２】
以上説明したように、基地局１００（ＰＤＣＣＨデザイン決定部１９）は、グループに属する端末２００がモニタするgroup common control resource setに割り当てられるgroup common PDCCHのシンボル数を、group common control resource setに割り当てられるother PDCCHの最も小さいシンボル数に合わせて、デザインする。これにより、基地局１００は、スロットの構成を端末に通知するgroup common PDCCHを適切に無線リソースに配置することができる。例えば、基地局１００は、データを送受信できるシンボル数を増やすことができる。
【００９３】
また、基地局１００は、group common PDCCHが割り当てられるシンボル数が、other PDCCHが割り当てられるシンボル数より多くなり、group common PDCCHが占有する領域によって、送信データの開始地点（開始シンボル）を遅らせるということを回避できる。
【００９４】
また、group common control resource setに配置されるother PDCCHが、複数のシンボルに配置される場合、そのグループに回線品質の低いユーザが存在している可能性がある。そのような場合は、group common PDCCHも複数のシンボルに配置されるので、回線品質の低いユーザも、group common PDCCHの受信品質を向上できるという利点がある。
【００９５】
また、group common PDCCHが割り当てられるシンボル数は、group common control resource setに配置されるＰＤＣＣＨのデザインから決定されるが、group common control resource setのシンボル数と、一致しないことがある。group common control resource setは、端末２００が複数のＰＤＣＣＨをモニタする領域であり、配置されるＰＤＣＣＨが増えると、実際に使用される領域は広くなる。配置されるＰＤＣＣＨが少なく、またアグリゲーションレベルが低い場合、実際に使用される領域を小さくできる。その場合、group common control resource setとして割り当てられているシンボル数よりも、実際に使われるシンボル数が少なくなる。group common PDCCHが割り当てられるシンボル数は、ＰＤＣＣＨの割り当てが少ない場合を想定して、使用される最小のシンボル数に設定する。
【００９６】
［第２の実施の形態］
group common control resource setは、毎スロットに配置されない可能性もある。第２の実施の形態では、group common control resource setが毎スロットに配置されない場合のgroup common PDCCHのデザインについて説明する。
【００９７】
図１２は、第２の実施の形態に係るgroup common PDCCHのデザイン例を説明する図である。図１２に示すスロットには、group common control resource setが配置されていない。
【００９８】
group common PDCCHが割り当てられるシンボル数は、group common control resource setが配置されるスロットにおいては、実施の形態１で説明したように、端末２００がモニタするother PDCCHが割り当てられる最も小さいシンボル数と同じとする。一方、図１２に示すように、group common control resource setが配置されないスロットにおいては、group common PDCCHが割り当てられるシンボル数を「１」とする。
【００９９】
端末２００が、group common control resource setをモニタするスロットは、予め、上位レイヤのシグナリング（ＳＩＢまたはdedicated RRC）で通知されているとする。
【０１００】
group common control resource setで送信すべきＰＤＣＣＨの頻度は、毎スロットでなくてもよいかもしれない。特に、ＵＬデータを割り当てるスロットでは、データ領域にＳＩＢ等のＤＬデータを送信することができないので、group common control resource setにＰＤＣＣＨを配置する必要がない。
【０１０１】
従って、予めＵＬデータを割り当てる予定のスロットでは、group common control resource setをモニタしないように設定することで、不要なＰＤＣＣＨのモニタを減らすことができる。ただし、group common PDCCHは、ＵＬデータ領域のシンボル数または他の制御情報等を通知する必要があるため、端末２００に受信されるように設定することができる。
【０１０２】
基地局１００（ＰＤＣＣＨデザイン決定部１９）は、group common control resource setを配置しないスロットでは、図１２に示すように、group common PDCCHのシンボル数を「１」とする。このため、group common PDCCHは、パワーブースティング（power boosting）の効果を期待できない。しかし、group common control resource setに配置されるother PDCCHがないので、その分の電力を、group common PDCCHに使用でき、十分な電力を確保できる。
【０１０３】
以上説明したように、基地局１００は、group common control resource setが配置されないスロットにおいては、group common PDCCHが１シンボルに割り当てられるようにデザインする。これにより、基地局１００は、group common PDCCHを適切に無線リソースに配置することができる。例えば、基地局１００は、group common control resource setが配置されないスロットでは、group common PDCCHが配置されるシンボルを少なくすることができ、データに割り当てられるシンボル数を多くすることができる。
【０１０４】
［第３の実施の形態］
第３の実施の形態では、group common PDCCHが、複数のアグリゲーションレベルでモニタされ、アグリゲーションレベルごとに占有するシンボル数を可変とする。基地局１００は、アグリゲーションレベルが高い場合に、group common PDCCHの占有するシンボル数を多くすることで、回線品質を向上させる。
【０１０５】
複数のアグリゲーションレベルで、group common PDCCHがモニタされると、基地局１００は、回線品質にあわせて、アグリゲーションレベルを選択できる。例えば、基地局１００は、回線品質の良いグループの端末２００に対して、アグリゲーションレベルを低くする。これにより、基地局１００は、group common PDCCHに使用するリソース量を減らすことができる。また、基地局１００は、回線品質の悪いグループの端末２００に対して、アグリゲーションレベルを高くする。これにより、基地局１００は、符号化率を低くし、誤り耐性の強い状態にして、group common PDCCHを送信できる。
【０１０６】
group common PDCCHに設定されるアグリゲーションレベルと、group common control resource setでモニタされるother PDCCHのアグリゲーションレベルは異なる可能性もある。
【０１０７】
基地局１００は、group common PDCCHのアグリゲーションレベルがＸ未満の場合、group common PDCCHが割り当てられるシンボル数を、group common control resource setでＵＥがモニタするother PDCCHが割り当てられる、最も小さいシンボル数と同じにする。また、基地局１００は、group common PDCCHのアグリゲーションレベルがＸ以上の場合、group common PDCCHが割り当てられるシンボル数を、other PDCCHが割り当てられる、２番目に小さいシンボル数と同じにする。
【０１０８】
図１３は、第３の実施の形態に係るgroup common PDCCHに割り当てられるシンボル数の例を説明する図である。
【０１０９】
group common control resource setで端末２００がモニタするother PDCCHのアグリゲーションレベルを「４」および「８」とする。図１３に示すように、アグリゲーションレベルが「４」のとき、other PDCCHは、１シンボルに配置され、アグリゲーションレベルが「８」のとき、other PDCCHは、２シンボルに配置されるデザインとする。
【０１１０】
また、group common PDCCHのアグリゲーションレベルを「１」および「２」とし、「Ｘ＝２」とする。
【０１１１】
この場合、基地局１００（ＰＤＣＣＨデザイン決定部１９）は、図１３に示すように、アグリゲーションレベルが「Ｘ＝２」未満（すなわち、アグリゲーションレベル「１」）のgroup common PDCCHが割り当てられるシンボル数を、other PDCCHが割り当てられる最も小さいシンボル数「１」となるようにデザインする。また、基地局１００は、図１３に示すように、アグリゲーションレベルが「Ｘ＝２」以上（すなわち、アグリゲーションレベル「２」）のgroup common PDCCHが割り当てられるシンボル数を、other PDCCHが割り当てられる２番目に小さいシンボル数「２」となるようにデザインする。
【０１１２】
このようにすると、基地局１００は、group common PDCCHのアグリゲーションレベルが大きくなるにつれて、group common control resource setに配置されるgroup common PDCCHのシンボル数を多くできる。すなわち、基地局１００は、アグリゲーションレベルの大きさに応じて、group common PDCCHが割り当てられるシンボル数を多くできる。
【０１１３】
以上説明したように、基地局１００は、アグリゲーションレベルに応じて、group common PDCCHのシンボル数を可変する。これにより、基地局１００は、group common PDCCHを適切に無線リソースに配置することができる。例えば、基地局１００は、高いアグリゲーションレベルを選択することにより、group common PDCCHが割り当てられるシンボル数を多くすることができ、回線品質を向上させることができる。
【０１１４】
なお、上記では、group common PDCCHのアグリゲーションレベルは、group common control resource setに配置されるＰＤＣＣＨよりも、低いと想定している。これは、group common PDCCHに含まれる情報ビット数が、other PDCCHよりも少ないと想定したからである。情報ビット数の量によって、必要となるアグリゲーションレベルは異なる。
【０１１５】
また、group common PDCCHのアグリゲーションレベルがＸ未満の場合、group common PDCCHが割り当てられるシンボル数を「１」とし、group common PDCCHのアグリゲーションレベルがＸ以上の場合、group common PDCCHが割り当てられるシンボル数を「２」とする、というように、group common control resource setに配置されるother PDCCHのデザインにかかわらず、固定の値を設定してもよい。
【０１１６】
また、基地局１００が、アグリゲーションレベルの高いものを選択する場合、グループ内に回線品質の悪いユーザが含まれていることが想定される。また、そのような場合、スロット、ミニスロット、またはサブフレームが、強い干渉を受けていることが想定される。
【０１１７】
このような場合、基地局１００は、誤り耐性を上げるため、group common control resource setで端末２００がモニタするother PDCCHも、アグリゲーションレベルの高いものを使う可能性が高い。従って、group common control resource setに配置されるother PDCCHと、同等のシンボル数でgroup common PDCCHを送信することで、group common PDCCHのパワーブースティングが可能となる。group common control resource setに配置されるother PDCCHのシンボル数と、group common PDCCHが割り当てられるシンボル数とが同等になるので、例えば、端末２００の送信データは、group common control resource setに配置されるother PDCCHおよびgroup common PDCCHのシンボルより後からスタートすることができる。
【０１１８】
［第４の実施の形態］
第４の実施の形態では、ＣＣＥ＃を、シンボル番号の小さい方から割り当て、group common PDCCHを先頭シンボルに配置できるようにする。また、ＣＣＥ＃のＲＥＧのマッピングが、複数のシンボルに渡る場合、group common PDCCHも複数のシンボルに配置され、パワーブースティングをできるようにする。
【０１１９】
図１４は、第４の実施の形態に係るＣＣＥのロジカルマッピングの例を示した図である。基地局１００（ＰＤＣＣＨデザイン決定部１９）は、group common PDCCHのアグリゲーションレベルを「ｎ」とした場合、ＣＣＥ＃０〜ＣＣＥ＃ｎ−１にgroup common PDCCHを割り当てる。例えば、group common PDCCHのアグリゲーションレベルを「２」とすると、基地局１００は、ＣＣＥ＃０，ＣＣＥ＃１にgroup common PDCCHを割り当てる。
【０１２０】
図１５Ａ、図１５Ｂ、および図１５Ｃは、無線リソースを説明する図である。図１４に示したハッチングと、図１５Ａ、図１５Ｂ、および図１５Ｃに示すハッチングは、対応している。例えば、図１４に示すように、ＣＣＥ＃０，＃１に割り当てられたgroup common PDCCHは、図１５Ａ、図１５Ｂ、および図１５Ｃの対応するハッチングのＣＣＥ（太線で囲むＲＥＧ）に割り当てられる。
【０１２１】
図１５Ａでは、ＣＣＥは、同一シンボルのＲＥＧで構成されている。図１４に示したＣＣＥ＃を、図１５Ａのシンボルの先頭から割り当てる場合、group common PDCCHは、group common control resource set内の先頭シンボルから配置される。
【０１２２】
例えば、group common PDCCHを、図１４に示したＣＣＥ＃０、＃１に配置した場合、group common PDCCHは、図１５Ａに示すように、group common control resource set内の先頭シンボルから配置される。つまり、基地局１００（ＰＤＣＣＨデザイン決定部１９は、）は、group common PDCCHを、図１４のＣＣＥ＃の先頭から割り当てることによってシンボル＃０に配置し、シンボル＃１以降を送信データに使用することができる。
【０１２３】
図１５Ｂおよび図１５Ｃでは、ＣＣＥは、異なるシンボルのＲＥＧで構成されている。group common PDCCHは、図１４に示したどのＣＣＥ＃に割り当てても、図１５Ｂおよび１５Ｃに示すように、複数のシンボル（３シンボル）に渡って配置される。図１４と図１５Ｂとに示すような対応関係、または図１４と図１５Ｃとに示すような対応関係にすると、基地局１００は、パワーブースティングを適用することができる。
【０１２４】
図１５Ｂおよび図１５Ｃの場合、ロジカルマップのどのＣＣＥ＃にgroup common PDCCHを割り当てても、使用されるシンボル数は変わらない。例えば、図１５Ｂおよび図１５Ｃに示すように、group common PDCCHに割り当てられるシンボル数は、「３」となる。
【０１２５】
基地局１００は、「group common PDCCHをＣＣＥ＃の先頭から配置する」と定めると、ＣＣＥを同一のシンボルのＲＥＧで構成する場合と（図１５Ａ参照）、ＣＣＥを複数のシンボルのＲＥＧで構成する場合（図１５Ｂおよび図１４Ｃ参照）との両方において、ロジカルマップ（図１４参照）へのＣＣＥの割り当て処理を共通にできるという利点がある。
【０１２６】
group common PDCCHのアグリゲーションレベルが一意に定まっている場合、端末２００は、group common PDCCHが配置されるＣＣＥを除いて、other PDCCHが配置されると認識して、other PDCCHをモニタできる。
【０１２７】
group common PDCCHのアグリゲーションレベルが一意に定まっていない場合は、２通りの方法がある。１つの方法として、端末２００は、group common PDCCHを受信後に、group common PDCCHのアグリゲーションレベルが分かるので、group common PDCCHに占有されたＣＣＥを除いて、other PDCCHをモニタする方法がある。もう１つの方法として、端末２００は、group common PDCCHの受信完了を待たずに、group common PDCCHの最小アグリゲーションレベルが占有するＣＣＥのみを除いて、other PDCCHをモニタする方法がある。
【０１２８】
以上説明したように、基地局１００は、group common PDCCHをＣＣＥのロジカルマップの先頭から割り当てる。これにより、基地局１００は、group common PDCCHを適切に無線リソースに配置することができる。例えば、基地局１００は、group common PDCCHを、ＣＣＥ＃の小さい番号から割り当てることにより、group common control resource setの先頭シンボルに配置できる。また、基地局１００は、ＣＣＥ＃に対応するＲＥＧが、複数のシンボルに渡る場合（図１５Ｂまたは図１５Ｃ）、group common PDCCHも複数のシンボルに配置され、パワーブースティングをすることができる。
【０１２９】
以上、本開示の各実施の形態について説明した。
【０１３０】
なお、group common PDCCHのデザインおよび２以上のアグリゲーションレベルが占有するシンボル数は、上位レイヤのシグナリング（ＳＩＢまたはdedicated RRC）にて通知され、最小のアグリゲーションレベルは、システムで固定であるとしたが、group common PDCCHのデザインおよび２以上のアグリゲーションレベルが占有するシンボル数を、他の情報から決定してもよい。他の情報とは、送信帯域幅、キャリア周波数、UE capabilityなどである。帯域幅が広い場合、使用するシンボル数は短くなり、帯域幅が広い場合、使用するシンボル数が多くなることが考えられる。また、キャリア周波数が高い領域、特にミリ波帯では、シンボルごとにビームを変えて送信することが考えられるので、group common control resource setのシンボル数を「１」に固定することも考えらえる。UE capabilityは、capabilityごとに、サポートするデザインが異なる可能性がある。特に、ＭＴＣ（Machine type communication）向け端末や、ＮＢ−Ｉｏｔ（Narrow band IoT）向け端末では、group common PDCCHを繰り返し複数のシンボルで送信することもできる。
【０１３１】
また、データは、group common PDCCHおよびgroup common control resource set内に配置されるother PDCCHのシンボルよりも後ろのシンボルに配置されるとしたが、これは、同一ＰＲＢ内にのみに適用され、ＰＤＣＣＨが配置されないＰＲＢは、異なるシンボルからデータを開始してもよい。また、ＳＵ−ＭＩＭＯや、ＣｏＭＰなど、空間多重技術を使用する場合、other PDCCHまたはgroup common PDCCHとデータが空間多重されている場合、同一のシンボルにデータを割り当ててもよい。
【０１３２】
また、上記では、データは、ＤＬデータ（ＰＤＳＣＨ）として説明したが、ＵＬデータおよび、Sidelinkのデータ、URLLCのデータ、MTCのデータ等の他のデータを割り当ててもよい。
【０１３３】
また、group common control resource setに配置されるＰＤＣＣＨのデザインは、セル単位で共通としてもよいし、グループ単位で共通よしてもよいし、端末２００個別に設定できるようにしてもよい。
【０１３４】
また、上記の周波数領域（ＰＲＢ＃）は、物理的なマッピングを例として示したが、論理的なマッピングとすることもできる。論理的なマッピングの場合、論理的なマッピングから物理的なマッピングに変更するので、図中連続している周波数領域であっても、物理的には離れた位置に配置できるので、周波数ダイバーシチ効果が得られる。
【０１３５】
また、group common PDCCHは、ＰＣＦＩＣＨ（Physical Control Format Indicator channel）、または、ＰＳＦＩＣＨ（Physical Slot Format Indicator channel）、PDCCH type0など異なる名前で定義される可能性がある。
【０１３６】
また、上記の図では、ＣＣＥは、３つのＲＥＧで構成されているとしたがこれに制限するものではなく、ＣＣＥを構成するＲＥＧ数は、４，６，８など異なる値にも適用できる。
【０１３７】
また、group common control resource setは、group common search spaceと呼ばれることもある。
【０１３８】
また、上記のgroup common control resource setを、UE specific control resource setに置き換えてもよい。
【０１３９】
本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１４０】
本開示の基地局は、スロットの構成を示す情報を含む第１の制御信号と前記情報を含まない第２の制御信号とを、グループに属する端末によってモニタされるリソースセットに割り当てる割当回路と、前記第１の制御信号と前記第２の制御信号とを端末に送信する送信機と、を備え、前記第１の制御信号が割り当てられるシンボル数を、前記第２の制御信号が割り当てられる最も小さいシンボル数に合わせる。
【０１４１】
本開示の基地局において、前記リソースセットが配置されないスロットにおいては、前記第１の制御信号が割り当てられるシンボル数を１にする。
【０１４２】
本開示の基地局において、前記第１の制御信号が割り当てられるシンボル数をアグリゲーションレベルに応じて可変する。
【０１４３】
本開示の基地局において、前記第１の制御信号をコントロールチャネルエレメントのロジカルマップの先頭から割り当てる。
【０１４４】
本開示の基地局において、前記第１の制御信号をスロットの先頭シンボルから配置する。
【０１４５】
本開示の通信方法は、スロットの構成を示す情報を含む第１の制御信号と前記情報を含まない第２の制御信号とを、グループに属する端末によってモニタされるリソースセットに割り当て、前記第１の制御信号と前記第２の制御信号とを端末に送信する通信方法において、前記第１の制御信号が割り当てられるシンボル数を、前記第２の制御信号が割り当てられる最も小さいシンボル数に合わせる。
【０１４６】
本開示の一態様は、移動通信システムに有用である。
【符号の説明】
【０１４７】
１００  基地局
１３  信号割当部
１９  ＰＤＣＣＨデザイン決定部
２０  group common PDCCH生成部
２００  端末
３９  ＰＤＣＣＨデザイン受信部
４１  group common PDCCH受信部
【図１】
2018173442.tif 000003
【図２Ａ】
2018173442.tif 000004
【図２Ｂ】
2018173442.tif 000005
【図３】
2018173442.tif 000006
【図４】
2018173442.tif 000007
【図５】
2018173442.tif 000008
【図６】
2018173442.tif 000009
【図７Ａ】
2018173442.tif 000010
【図７Ｂ】
2018173442.tif 000011
【図７Ｃ】
2018173442.tif 000012
【図８Ａ】
2018173442.tif 000013
【図８Ｂ】
2018173442.tif 000014
【図８Ｃ】
2018173442.tif 000015
【図９】
2018173442.tif 000016
【図１０】
2018173442.tif 000017
【図１１】
2018173442.tif 000018
【図１２】
2018173442.tif 000019
【図１３】
2018173442.tif 000020
【図１４】
2018173442.tif 000021
【図１５Ａ】
2018173442.tif 000022
【図１５Ｂ】
2018173442.tif 000023
【図１５Ｃ】
2018173442.tif 000024
【国際調査報告】
2018173442.tif 000025
2018173442.tif 000026
2018173442.tif 000027
2018173442.tif 000028